【手続補正書】
【提出日】平成19年1月29日(2007.1.29)
【手続補正１】
【補正対象書類名】明細書
【補正対象項目名】特許請求の範囲
【補正方法】変更
【補正の内容】
【特許請求の範囲】
【請求項１】  不均一に混和する液体の均一溶液を、いくつかの固体もしくは液体物質又はいくつかの気体が溶解している均一溶液と強く接触させる、気体及び液体の多相混合物を混合して反応させる装置であって、第１溶液の流入のための円筒状の空間（１）、少なくとも二つの溶液の混合と反応が起こる、空間（１）に向かって先細りの少なくとも一つの円筒状のチャンバー（３）、空間（１）に対して垂直方向に配置された、第２溶液の流入のための円筒状の空間（２）、並びにノズル・ミキサー（Ｄ）で混合され反応された溶液の流出のための空間（４）を有する、ミキサー及び反応器としてのノズル・ミキサー（Ｄ）によって特徴付けられる装置。
【請求項２】  空間（４）の断面は、流れの方向に円錐状に広がることを特徴とする請求項１記載の装置。
【請求項３】  第１溶液の流れの方向に対して実質的に垂直に配置されている複数の開口部（５）は、チャンバー（３）の中に第２溶液が入るためにチャンバー（３）の壁に設けられ、チャンバー（３）の内壁の開口部（５）は、線状に配置され、周上に均一に分布することを特徴とする請求項１又は２記載の装置。
【請求項４】  開口部（５）は、チャンバー（３）の長手方向に対して垂直方向に延びることを特徴とする請求項３記載の装置。
【請求項５】  開口部（５）は、チャンバー（３）の長手方向に対していずれかの角度で延びることを特徴とする請求項３記載の装置。
【請求項６】  気体又は液体物質を液体物質と混合することができるノズル・ミキサー（Ｄ）の上流に、少なくとも一つのジャケット付きミキサー（Ｍ）が配置されることを特徴とする請求項１〜５のいずれかに記載の装置。
【請求項７】  ジャケット付きミキサー（Ｍ）は、円筒状の混合空間（６）を有し、その空間を通って均一な液体が供給されること、並びに混合空間の周囲に対称的に配置される複数のフィード・パイプが溶解されるべき第２液体もしくは気体をジャケット付きミキサー（Ｍ）内に導入するために設けられることを特徴とする請求項６記載の装置。
【請求項８】  装置は、混合されるべき成分のパルス的導入手段を有することを特徴とする請求項７記載の装置。
【請求項９】  円筒状の混合空間（６）は、外側の環状の空間（８）を有し、フィード・パイプは反応器の壁に孔（７）として形成されることを特徴とする請求項６〜８のいずれかに記載の装置。
【請求項１０】  混合空間（６）の壁の孔（７）は、環状に配置されることを特徴とする請求項９記載の装置。
【請求項１１】  孔（７）は、各々の環（７Ａ、７Ｂ、７Ｃ）の円周上に均一に分布することを特徴とする請求項１０記載の装置。
【請求項１２】  各々の場合（７Ａと７Ｂとの間、及び７Ｂと７Ｃとの間の各々）、隣接する環の孔（７）は、流れの方向で互い違いに配列されることを特徴とする請求項１１記載の装置。
【請求項１３】  各々の環（７Ａ、７Ｂ、７Ｃ）は八つの孔（７）を有し、各々の場合（７Ａと７Ｂとの間、及び７Ｂと７Ｃとの間の各々）、隣接する環の孔（７）は４５°ずれて配列されることを特徴とする請求項１２記載の装置。
【請求項１４】  孔（７）は、流れの方向に対して低角度で延びることを特徴とする請求項７〜１３のいずれかに記載の装置。
【請求項１５】  角度は３０°〜６０°であることを特徴とする請求項１４記載の装置。
【請求項１６】  熱交換器（ＷＴ）が、ノズル・ミキサー（Ｄ）及びオプションのジャケット付きミキサー（Ｍ）の上流並びに／又は下流に配置されることを特徴とする請求項１〜１５記載の装置。
【請求項１７】  アルカリ性のフェノレート、ビスフェノレート水溶液及び他の多価のフェノレート溶液を、溶媒に溶解された固体、液体及び／もしくは気体と混合するための請求項１〜１６のいずれかに記載の装置の使用。
【請求項１８】  請求項１〜１６のいずれかに記載の装置内で混合によって製造される、ジクロロメタンに溶解された気体又は液体のホスゲンとフェノレート水溶液の不均一な混合物から界面法で製造されるジフェニルカーボネートであって、残留フェニルピペリジルウレタンの含有量が２０ｐｐｍ以下の極めて少量であることによって特徴付けられるジフェニルカーボネート。
【請求項１９】  請求項１〜１６のいずれかに記載の装置内で混合によって製造される、ジクロロメタンに溶解された気体又は液体のホスゲンとアルカリ性のビスフェノレート水溶液の不均一な混合物から界面法で製造されるポリカーボネートであって、構造的に極めて小さな混合及び反応装置によって特徴付けられるポリカーボネート。
【請求項２０】  請求項１〜１６のいずれかに記載の装置内で混合されて製造される、ジクロロメタンに溶解された気体又は液体のホスゲンとアルカリ性のビスフェノレート水溶液の不均一な混合物から界面法で製造されるポリカーボネートであって、残留フェニルピペリジルウレタンの含有量が２０ｐｐｍ以下の極めて少量であることによって特徴付けられるポリカーボネート。
【手続補正２】
【補正対象書類名】明細書
【補正対象項目名】００３７
【補正方法】変更
【補正の内容】
【００３７】
最後に、本発明に係る装置であるミキサーの好ましい配置を図３に見ることができ、第１熱交換器ＷＴ１はジャケット付きミキサーＭの下流に配置され、第２熱交換器ＷＴ２はノズル・ミキサーＤの下流に配置されている。このようにして、必要な混合及び反応温度の維持を、確実な方法で確保することができる。
以下に、本発明の主な態様を記載する。
１．  不均一に混和する液体の均一溶液を、いくつかの固体もしくは液体物質又はいくつかの気体が溶解している均一溶液と強く接触させる、気体及び液体の多相混合物を混合して反応させる装置であって、第１溶液の流入のための円筒状の空間（１）、少なくとも二つの溶液の混合と反応が起こる、空間（１）に向かって先細りの少なくとも一つの円筒状のチャンバー（３）、空間（１）に対して垂直方向に配置された、第２溶液の流入のための円筒状の空間（２）、並びにノズル・ミキサー（Ｄ）で混合され反応された溶液の流出のための空間（４）を有する、ミキサー及び反応器としてのノズル・ミキサー（Ｄ）によって特徴付けられる装置。
２．  円筒状の空間（１）と先細りの円筒状のチャンバー（２）との間の遷移部分はシャープなエッジを有することを特徴とする上記１．記載の装置。
３．  空間（４）の断面は、流れの方向に円錐状に広がることを特徴とする上記１．又は２．記載の装置。
４．  第１溶液の流れの方向に対して実質的に垂直に配置されている複数の開口部（５）は、チャンバー（３）の中に第２溶液が入るためにチャンバー（３）の壁に設けられることを特徴とする上記１．〜３．のいずれかに記載の装置。
５．  チャンバー（３）の内壁の開口部（５）は、線状に配置され、周上に均一に分布することを特徴とする上記４．記載の装置。
６．  開口部（５）は、チャンバー（３）の長手方向に対して垂直方向に延びることを特徴とする上記５．記載の装置。
７．  開口部（５）は、チャンバー（３）の長手方向に対していずれかの角度で延びることを特徴とする上記５．記載の装置。
８．  気体又は液体物質を液体物質と混合することができるノズル・ミキサー（Ｄ）の上流に、少なくとも一つのジャケット付きミキサー（Ｍ）が配置されることを特徴とする上記１．〜７．のいずれかに記載の装置。
９．  ジャケット付きミキサー（Ｍ）は、円筒状の混合空間（６）を有し、その空間を通って均一な液体が供給されること、並びに混合空間の周囲に対称的に配置される複数のフィード・パイプが溶解されるべき第２液体もしくは気体をジャケット付きミキサー（Ｍ）内に導入するために設けられることを特徴とする上記８．記載の装置。
１０．  装置は、混合されるべき成分のパルス的導入手段を有することを特徴とする上記９．記載の装置。
１１．  円筒状の混合空間（６）は、外側の環状の空間（８）を有し、フィード・パイプは反応器の壁に孔（７）として形成されることを特徴とする上記８．〜１０．のいずれかに記載の装置。
１２．  混合空間（６）の壁の孔（７）は、環状に配置されることを特徴とする上記１１．記載の装置。
１３．  孔（７）は、各々の環（７Ａ、７Ｂ、７Ｃ）の円周上に均一に分布することを特徴とする上記１２．記載の装置。
１４．  各々の場合（７Ａと７Ｂとの間、及び７Ｂと７Ｃとの間の各々）、隣接する環の孔（７）は、流れの方向で互い違いに配列されることを特徴とする上記１３．記載の装置。
１５．  各々の環（７Ａ、７Ｂ、７Ｃ）は八つの孔（７）を有し、各々の場合（７Ａと７Ｂとの間、及び７Ｂと７Ｃとの間の各々）、隣接する環の孔（７）は４５°ずれて配列されることを特徴とする上記１４．記載の装置。
１６．  孔（７）は、流れの方向に対して低角度で延びることを特徴とする上記９．〜１５．のいずれかに記載の装置。
１７．  角度は３０°〜６０°であることを特徴とする上記１６．記載の装置。
１８．  角度は４５°であることを特徴とする上記１７．記載の装置。
１９．  熱交換器（ＷＴ）が、ノズル・ミキサー（Ｄ）及びオプションのジャケット付きミキサー（Ｍ）の上流並びに／又は下流に配置されることを特徴とする上記１．〜１８．記載の装置。
２０．  アルカリ性のフェノレート、ビスフェノレート水溶液及び他の多価のフェノレート溶液を、溶媒に溶解された固体、液体及び／もしくは気体と混合するための上記１．〜１９．のいずれかに記載の装置の使用。
２１．  上記１．〜１９．のいずれかに記載の装置内で混合によって製造される、ジクロロメタンに溶解された気体又は液体のホスゲンとフェノレート水溶液の不均一な混合物から界面法で製造されるジフェニルカーボネートであって、残留フェニルピペリジルウレタンの含有量が２０ｐｐｍ以下の極めて少量であることによって特徴付けられるジフェニルカーボネート。
２２．  上記１．〜１９．のいずれかに記載の装置内で混合によって製造される、ジクロロメタンに溶解された気体又は液体のホスゲンとアルカリ性のビスフェノレート水溶液の不均一な混合物から界面法で製造されるポリカーボネートであって、構造的に極めて小さな混合及び反応装置によって特徴付けられるポリカーボネート。
２３．  上記１．〜１９．のいずれかに記載の装置内で混合されて製造される、ジクロロメタンに溶解された気体又は液体のホスゲンとアルカリ性のビスフェノレート水溶液の不均一な混合物から界面法で製造されるポリカーボネートであって、残留フェニルピペリジルウレタンの含有量が２０ｐｐｍ以下の極めて少量であることによって特徴付けられるポリカーボネート。